(57)【特許請求の範囲】
【請求項１】
水槽本体の底部に一方の側より他方の側に支柱が列設され、この支柱に沿って支柱上に蓋受梁が架設されると共に、支柱に支柱を挾んで両端部が水槽本体の内側壁に突合する水平部材が十字状に連結され、前記水槽本体の側壁の上面に縁枠が設けられ、この縁枠上に蓋受梁と直交する方向に蓋板材が並列して一体に連結された蓋体が覆設され、蓋板材は蓋板材の連結部で固定具により蓋受梁に固定されると共に、蓋板材の長手方向の両端部は前記縁枠に固定具で固定され、前記蓋体にマンホールが設けられると共に、このマンホールの下方にマンホールを囲んで支柱により支持されたマンホール受梁が設けられていることを特徴とする防火水槽の後付け用蓋取り付け構造。
【請求項２】
支柱及び水平部材は伸縮調節可能であることを特徴とする請求項１記載の防火水槽の後付け用蓋取り付け構造。
【発明の詳細な説明】
【０００１】
【発明の属する技術分野】
本発明は、蓋の付いていない防火水槽に後付けで蓋を取り付ける場合の防火水槽の後付け用蓋取り付け構造に関するものである。
【０００２】
【従来の技術】
従来、蓋の付いていない防火水槽は、蓋を後付けすることが出来なかった。
【０００３】
【発明が解決しようとする課題】
本発明は、蓋の付いていない防火水槽内に水を溜めたままでおくと、日光が当たることにより藻等が発生し、水質が悪化すると共にぼうふら等の発生を促すことになり、周囲の環境にも悪影響を及ぼすことになる。
又、ポンプ等での水の吸い上げ時に、異物の混入によりポンプ等が詰まったりして吸い上げがスムーズにならないことがある。
しかし、従来は後付けで防火水槽に蓋を取り付けることができず、放置されていたのが実状であった。
【０００４】
上記点より本発明は、蓋の付いていない防火水槽に後付けで蓋を取り付けることを可能とし、もって水質の保全を図ることのできる防火水槽の後付け用蓋取り付け構造を提供しようとするものである。
【０００５】
【課題を解決するための手段】
上記課題を解決するため本発明防火水槽の後付け用蓋取り付け構造は、水槽本体の底部に一方の側より他方の側に支柱が列設され、この支柱に沿って支柱上に蓋受梁が架設されると共に、支柱に支柱を挾んで両端部が水槽本体の内側壁に突合する水平部材が十字状に連結され、前記水槽本体の側壁の上面に縁枠が設けられ、この縁枠上に蓋受梁と直交する方向に蓋板材が並列して一体に連結された蓋体が覆設され、蓋板材は蓋板材の連結部で固定具により蓋受梁に固定されると共に、蓋板材の長手方向の両端部は前記縁枠に固定具で固定され、前記蓋体にマンホールが設けられると共に、このマンホールの下方にマンホールを囲んで支柱により支持されたマンホール受梁が設けられていることを特徴とするものである。又、請求項１の本発明防火水槽の後付け用蓋取り付け構造に於いて、支柱及び水平部材は伸縮調節可能であることが好ましい。
【０００６】
上記構成を有する本発明は、水槽本体の底部に一方の側より他方の側に列設された支柱上に蓋受梁が架設され、この蓋受梁と直交する方向に蓋板材が並列して一体に連結された蓋体を水槽本体の側壁の上面に設けた縁枠上に設けたため、水槽本体の上方は蓋体により覆われる。
そして、蓋体にマンホールが設けられているため、水の吸い上げや水の導入はマンホールより行う。
【０００７】
又、蓋受梁を支持する支柱は、支柱に支柱を挾んで両端部が水槽本体の内側壁に突合する水平部材が十字状に連結されているため、水槽本体の底部に垂直に立設される。
又、蓋板材は蓋受梁に固定具で固定されると共に、蓋板材の長手方向の両端部は縁枠に固定具で固定されているため、蓋体は水槽本体の上部に確実に固定される。
そして、マンホールの下方にマンホールを囲んで支柱により支持されたマンホール受梁が設けられているため、マンホール上は丈夫である。
【０００８】
又、支柱及び水平部材が伸縮調節可能であると、支柱の高さ調節や水平部材の長さ調節ができ施工上便利である。
【０００９】
【発明の実施の形態】
以下、本発明の一実施の形態を図面に基づき説明する。
図１は本発明防火水槽の後付け用蓋取り付け構造の一実施の形態を示す平面図、図２は同上の蓋体を除いた平面図、図３及び図４は同上の一部省略した拡大断面図、図５及び図６は同上の部分拡大断面図である。
【００１０】
而して、図中１は防火用の水槽本体であり、コンクリート製である。
２は水槽本体１の底部１Ａに立設した支柱であり、この支柱２は管状の下部支柱２Ａとこの下部支柱２Ａに出入り調節可能な管状の上部支柱２Ｂから成り、下部支柱２Ａの下部に取り付け板３が設けられ、この取り付け板３が水槽本体１の底部１Ａにアンカーボルト４で固定されている。
【００１１】
又、下部支柱２Ａの上部の内側に螺溝（図示せず）が設けられ、この螺溝に上部支柱２Ｂの外周の下方に設けた螺部２Ｃが螺入し、高さ調節が可能となっている。そして、支柱２は水槽本体１の一方の側より他方の側へ一列に所定の間隔を於いて立設されている。
【００１２】
５は支柱２の上方で支柱２を挾んで支柱２にクランプ６で連結した管状の水平部材であり、支柱２の列設方向に支柱２に接して１本と、この水平部材５と直交する方向に支柱２に接して図面では４本設けられている。
そして、水平部材５の両側内側に設けた螺溝（図示せず）に螺棒７の一端が螺入し、長さ調節が可能となっている。
又、螺棒７の他端に取り付け板８が設けられ、水槽本体１の側壁１Ｂの内側にアンカーボルト９で固定されている。
【００１３】
１０は断面Ｉ型の鋼製の蓋受梁であり、水槽本体１の一方の側より他方の側へ上部支柱２Ｂ上に設けた取り付け板１１に鉄骨クランプ１２で止着されている。  １３は水槽本体１の周囲の側壁１Ｂ上にアンカーボルト１４で固定した断面が略Ｌ型の縁枠であり、この縁枠１３に側壁１Ｂ上から一定の高さ位置に蓋体１５の周囲を受ける水平な蓋受板１３Ａが縁枠１３の全長に渉って設けられている。
【００１４】
蓋体１５は蓋受梁１０と直交する方向に並列された長尺な蓋板材１６により構成されている。
蓋板材１６は鋼製で、その両側に９０度下方へ屈曲した脚部１６Ａが形成され、その一方の側の下端に全長に渉って水平片１６Ｂが内側へ屈曲形成され、他方の側の下端に全長に渉って水平片１６Ｂが嵌合する嵌合溝１６Ｃが外側へ屈曲形成されている。
【００１５】
そして、蓋板材１６の連結は、蓋板材１６の嵌合溝１６Ｃに隣接する蓋板材１６の水平片１６Ｂを嵌合して脚部１６Ａ同士を接触し、接触している脚部１６Ａ同士を所定の間隔でボルト及びナット１７で一体に固定する。
以下、同様に順次蓋板材１６同士を連結する。
【００１６】
又、蓋板材１６と蓋受梁１０との連結は、蓋板材１６と蓋受梁１０との直交した接触部の四隅に蓋板材固定クランプ１８で固定する。
蓋板材固定クランプ１８は蓋板材１６の連結部で、嵌合溝１６Ｃに嵌合する水平片１６Ｂ上よりフック部で押圧するフックボルト１８Ａと、フックボルト１８Ａの螺子部に挿通し、一方の片は嵌合溝１６Ｃの下面に当接し、他方の片は蓋受梁１０の上部の水平部の下面に当接する略Ｕ字状のクランプ片１８Ｂと、締付けナット１８Ｃにより構成されている。
この締付けナット１８Ｃを締め付けることにより、フックボルト１８Ａのフック部とクランプ片１８Ｂで蓋板材１６と蓋受梁１０を一体に固定する。
【００１７】
又、縁枠１３の蓋受板１３Ａ上に載置された蓋板材１６の長手方向の両端部は、蓋板材固定クランプ１８で締付けナット１８Ｃを締め付けることによりフックボルト１８Ａのフック部で蓋板材１６の水平片１６Ｂを上部より押圧し、クランプ片１８Ｂの一方の片で蓋受板１３Ａの下面を下部より押圧し、他方の片で蓋板材１６の連結部の下面を下部より押圧し、蓋受板１３Ａ上に固定される。
【００１８】
１９は蓋受梁１０に沿った側方で蓋体１５に設けたマンホールであり、このマンホール１９の下方にマンホール１９を囲んでマンホール受梁２０が設けられている。
マンホール受梁２０は１本は蓋受梁１０の一部を利用し、この蓋受梁１０に水平に平行した２本のマンホール受梁２０の一端が直角に固定され、マンホール受梁２０の他端は前同様の支柱２の取り付け板１１に固定され、この他端間に１本のマンホール受梁２０が渡し掛けられてマンホール受梁２０同士は固定され、方形に構成されている。
【００１９】
【発明の効果】
本発明によれば、蓋の付いていない防火水槽に後付けで蓋を取り付けることができるため、防火水槽の上部は蓋で覆われ、異物が投入されることがないと共に、日光が当たることがない。
したがって、ポンプ等での揚水時にポンプが詰まることがないと共に、藻等が発生することがなく、水質の悪化を防止することができ、周囲の環境保全にも寄与し得る有用な発明である。
【図面の簡単な説明】
【図１】本発明構造の一実施の形態を示す平面図である。
【図２】本発明構造の蓋体を除いた平面図である。
【図３】本発明構造の一部省略した拡大断面図である。
【図４】本発明構造の一部省略した拡大断面図である。
【図５】本発明構造の部分拡大断面図である。
【図６】本発明構造の部分拡大断面図である。
【符号の説明】
１  水槽本体
２  支柱
２Ａ  下部支柱
２Ｂ  上部支柱
５  水平部材
１０  蓋受梁
１３  縁枠
１５  蓋体
１６  蓋板材
１８  蓋板材固定クランプ
１９  マンホール
２０  マンホール受梁
【図１】
0004330251.tif 000002
【図２】
0004330251.tif 000003
【図３】
0004330251.tif 000004
【図４】
0004330251.tif 000005
【図５】
0004330251.tif 000006
【図６】
0004330251.tif 000007